(57)【特許請求の範囲】
【請求項１】
容器を載置する水平部、垂直部を有する載置台と、該載置台を傾動させる傾動機構と、前記容器を保持し得る保持手段と、フレームに設けられ該保持手段が当接するストッパと、を備え、
前記保持手段は、前記載置台に摺動可能に緩挿された押さえ杆と、該押さえ杆を載置台の垂直部の方向に付勢する弾性部材を有し、傾動機構の傾動動作に連係して容器の側面に対して進退動作することにより、前記載置台を略水平状態とした際には押さえ杆がストッパと当接し該弾性部材が収縮して容器の保持を解除し、載置台を傾斜状態とした際には該弾性部材が伸長し押さえ杆を付勢して容器を保持することを特徴とする容器の保持装置。
【請求項２】
前記載置台は、容器搬送コンベアで搬送されてくる容器を載置するものであることを特徴とする請求項１に記載の容器の保持装置。
【請求項３】
前記容器は、所定量の農産物が秤量箱詰めされ得る段ボール箱であることを特徴とする請求項１ないし２のいずれかに記載の容器の保持装置。
【発明の詳細な説明】
【０００１】
【発明の属する技術分野】
本発明は、馬鈴薯、みかん、米、麦等の農産物や土砂、液体、廃棄物等の収容物を傾斜状態の空の容器（段ボール箱、プラスチックコンテナ、缶、木箱等）に投入して箱詰めする装置や、あるいは収容物入りのコンテナ等の容器を反転させて収容物をコンベア上や他の場所に放出する装置において、容器を傾動・反転させる際に用いられる容器の保持装置に関する。
【０００２】
【従来の技術】
従来、容器を傾動・回動させる際に、容器を保持する装置としては、例えば特許第２９８０１２０号公報や実開昭６３−８８６２４号公報に開示のものが知られている。先ず、前者（特許第２９８０１２０号公報）に開示の箱詰装置は、シリンダにより傾斜状態とされたＶ型受台上に、後続の箱で押し出された段ボール箱が移行される際に、押さえ杆とバネとで段ボール箱の側面が押さえられることにより、Ｖ型受台上での段ボール箱の揺動を防止するように構成したものである。
【０００３】
また、後者（実開昭６３−８８６２４号公報）に開示の排出装置は、コンテナが載置支持される支持枠を、側面視コ字状のコ型枠部と回動枠部とで形成し、支持枠を主エアシリンダ機構で水平位置と傾斜位置間で傾動させると共に、コ型枠部と回動枠部とをエアシリンダ機構で揺動可能に構成したものである。
【０００４】
【発明が解決しようとする課題】
しかしながら、前者の箱詰装置にあっては、Ｖ型受台上に段ボール箱が移行される際に、段ボール箱の側面が抑え杆とバネとによって押さえられる方式であるため、例えば段ボール箱の大きさを変更しようとした際に、段ボール箱の大きさとＶ型受台の大きさとの間に、それほど差がない場合はその側面を押さえることができるものの、段ボール箱の大きさが小さい場合は、押さえ杆が段ボール箱の側面に当接せず、段ボール箱を確実に保持することが困難で、使用可能な段ボール箱の大きさが特定化される等、汎用性の面で劣るという問題点を有している。
【０００５】
また、この装置の場合、抑え杆がバネで常に略一定位置に設定されて、Ｖ型受台上に段ボール箱が移行して載置される際に、段ボール箱の側面で抑え杆をバネの付勢力に抗して移動させつつ段ボール箱がＶ型受台上に載置されるため、段ボール箱のＶ型受台への移行時に抑え杆が段ボール箱の側面に例えば引っ掛かって段ボール箱を傷める虞があると共に、段ボール箱の大きさによってＶ型受台への出し入れをスムーズに行い難いという問題点も有している。
【０００６】
また、後者の排出装置にあっては、コンテナを載置する支持枠に側面視コ字状のコ型枠部を設けてコンテナを支持する方式であるため、前者の箱詰装置と同様にコ型枠部に載置されるコンテナの大きさが特定化されて、各種大きさのコンテナを載置することが困難で汎用性の面で劣ると共に、支持枠がコ型枠部や回動枠部で構成されたり、これらを傾動や回動させるために複数のシリンダー機構が必要になるため、その構造が複雑かつ大がかりとなってコスト高になり易いという問題点を有している。
【０００７】
本発明は、このような事情に鑑みてなされたもので、その目的は、容器の大きさに係わらず容器を確実に保持して汎用性を向上させ得ると共に、載置台上への出し入れ時の容器の傷付き防止とスムーズな出し入れを図り、かつ構成簡易で安価に形成したり、容器の保持と解除を確実に行い得る容器の保持装置を提供することにある。また、他の目的は、前記目的に加え、例えば農産物の箱詰め作業等の処理能力の向上を図り得る容器の保持装置を提供することにある。
【０００８】
【課題を解決するための手段】
かかる目的を達成すべく、本発明のうち請求項１記載の発明は、容器を載置する水平部、垂直部を有する載置台と、該載置台を傾動させる傾動機構と、前記容器を保持し得る保持手段と、フレームに設けられ該保持手段が当接するストッパと、を備え、前記保持手段は、前記載置台に摺動可能に緩挿された押さえ杆と、該押さえ杆を載置台の垂直部の方向に付勢する弾性部材を有し、傾動機構の傾動動作に連係して容器の側面に対して進退動作することにより、前記載置台を略水平状態とした際には押さえ杆がストッパと当接し該弾性部材が収縮して容器の保持を解除し、載置台を傾斜状態とした際には該弾性部材が伸長し押さえ杆を付勢して容器を保持することを特徴とする。
【０００９】
このように構成することにより、載置台上に載置される段ボール箱等の容器は、載置台が略水平状態の際には、保持手段による保持が解除されてフリーな状態となり、傾動機構の動作で載置台が所定角度傾斜した例えば箱詰め位置に設定された際には、保持手段によって容器が保持される。この時、保持手段は傾動機構の傾動動作と連係して動作して、傾斜状態の際に容器を保持して水平状態の際に保持に関与しないことから、水平状態の載置台上に各種大きさの容器を容易に載置できて汎用性が向上すると共に、載置台上の容器の出し入れ時に容器の側面が当接する部材等がなく、容器の傷付き防止とスムーズな出し入れが可能になる。
【００１１】
また、保持手段としてのバネ等の弾性部材の伸縮作用で傾斜状態の容器を保持できることから、保持手段の構成が簡略化されて保持装置自体が安価に形成される。さらに、載置台が略水平状態の際に弾性部材の収縮作用で容器の保持が解除されたり、載置台が傾斜状態の際に弾性部材の伸長作用で容器が保持されることから、圧縮バネ等の弾性部材の伸縮作用の利用で容器の解除と保持とを容易かつ確実に行える。
【００１２】
また、前記載置台は、請求項２記載の発明のように、容器搬送コンベアで搬送されてくる容器を載置するものであることが好ましく、このように構成することにより、例えば容器搬送コンベアで搬送されてくる容器が載置台上にスムーズに移行されることから、収容物の箱詰め作業や排出作業の処理能力の向上が図れる。
【００１３】
また、前記容器は、請求項３記載の発明のように、所定量の農産物が秤量箱詰めされ得る段ボール箱であることが好ましく、このように構成することにより、各種大きさの段ボール箱に秤量された所定量の農産物が例えば効率良く箱詰めされる。
【００１４】
【発明の実施の形態】
以下、本発明の実施の形態を図面に基づいて詳細に説明する。
図１〜図８は、本発明に係わる容器の保持装置の一実施例を示し、図１が該保持装置を使用した箱詰施設の平面図、図２が図１のＡ−Ａ線に沿った矢視図、図３が保持装置の正面図、図４がその側面図、図５がその動作説明図、図６が箱詰供給装置の側面図、図７が他の側面図、図８がその動作説明図である。
【００１５】
図１及び図２において、保持装置１（図２参照）は、バイブレータ３の終端側下方に配置された箱詰供給装置２の下部側方に配置されている。バイブレータ３の始端側には農産物が搬送されるベルト式の引出コンベア４が接続され、箱詰供給装置２のホッパー５の下方には正逆転可能な搬送コンベア６が配置されている。そして、この搬送コンベア６の搬送方向イの両端部下方には、空箱搬送コンベア７から供給される農産物用容器としての空の段ボール箱８を搬送したり、農産物が箱詰めされた段ボール箱８を製品搬送コンベア９に供給する箱搬送コンベア１０が接続されている。この箱搬送コンベア１０は、多数のローラ１０ａを有するローラコンベアで形成され、所定位置には上昇することで段ボール箱８を停止させ得るストッパ１０ｂが設けられている。
【００１６】
また、搬送コンベア６の両端部には傾斜したシュート板１１がそれぞれ連結されると共に、搬送コンベア６の両端部下方に、前記保持装置１がそれぞれ配置されている。なお、２台の保持装置１は、それぞれ同一構成であるため、同一部位には同一符号を付して説明する。この保持装置１は、図２〜図５に示すように、載置台１３と、この載置台１３を水平状態の箱供給排出位置Ｓ１と所定角度傾斜した箱詰め位置Ｓ２とに設定する傾動機構としてのシリンダ装置１４と、載置台１３に設けられて該載置台１３に載置された段ボール箱８を保持する保持手段としての保持機構１５等を有している。
【００１７】
前記載置台１３は、前後方向に一対設けられた筒状の水平部１３ａと小幅板状の垂直部１３ｂとで正面視Ｌ字状に形成され、一対の垂直部１３ｂの端部が回転軸１６により支持フレーム１７に回動自在に支持されると共に、少なくとも一方の垂直部１３ｂの屈曲部分に前記シリンダ装置１４のピストロッドの先端が軸支されている。そして、シリンダ装置１４のピストンロッドが進退することで、垂直部１３ｂを介して載置台１３が図５の矢印ヘ方向に傾動する如く構成されている。
【００１８】
また、載置台１３には前記保持機構１５が設けられている。この保持機構１５は、水平部１８ａと垂直部１８ｂを有して略Ｌ字形状に形成された押さえ杆１８と、この押さえ杆１８を所定方向に付勢する弾性部材としてのバネ１９等を有している。押さえ杆１８は、その水平部１８ａが前記載置台１３の筒状の水平部１３ａ内に摺動可能に緩挿されると共に、水平部１８ａの反垂直部１８ｂ側端部にバネ係止部１８ｃが設けられている。また、押さえ杆１８の垂直部１８ｂの先端内面には、薄板状の押さえ板２０が固着されている。この押さえ板２０には、容器の種類に応じて該容器を押さえた際に、所定の保持力が維持できるゴム状部材や凸部をスパイク状に多数形成した樹脂部材等を固着することが好ましい。
【００１９】
そして、この押さえ杆１８の水平部１８ａで載置台１３の垂直部１３ｂ下端より外側に突出する部分、すなわち、前記バネ係止部１８ｃと垂直部１３ｂの外側面との間には、圧縮コイルバネからなる前記バネ１９がそれぞれ嵌装されている。このバネ１９は、押さえ杆１８を常時図５の矢印ロ方向に付勢すると共に、後述する如く載置台１３が傾斜した際に、押さえ板２０で段ボール箱８の側面を所定の圧力で押さえ得る付勢力に設定されている。
【００２０】
なお、載置台１３の前後一対の水平部１３ａは、そのピッチが箱搬送コンベア１０の例えば２つ置きのローラ１０ａのピッチに対応して設定されることにより、水平状態の箱供給排出位置Ｓ１において、水平部１３ａがローラ１０ａ間に位置しかつ水平部１３ａの上面がローラ１０ａの上面より低くなるように設定されている。
【００２１】
また、図３に示す載置台１３の水平部１３ａの長さＬは、箱詰供給装置２で使用される最も大きい段ボール箱８の大きさ（但し箱搬送コンベア１０の幅Ｗ以内）に対応して設定され、押さえ杆１８の水平部１８ａの有効長さＬ１は、水平部１３ａの長さＬより所定寸法大きくかつ箱搬送コンベア１０の幅Ｗより小さい寸法に設定されている。さらに、押さえ杆１８のバネ係止部１８ｃは、水平状態において箱搬送コンベア１０のフレーム１０ｃ内面に当接し得るように設定されている。ところで、この例においては、載置台１３を前後一対の水平部１３ａや垂直部１３ｂで形成したが、載置台１３の水平部分がローラ１０ａ間に位置し得る適宜形状に形成することができる。
【００２２】
一方、前記箱詰供給装置２は、図６及び図７に示すように、円弧状板体２２と一対の側板２３とで断面略扇形状に形成された回動可能な前記ホッパー５と、このホッパー５内に回動可能に配置された受板２４等を有している。そして、ホッパー５の側板２３は側面視扇形状に形成されて、その中心部分に水平な回転軸２５が設けられ、この回転軸２５の一端側には、揺動杆２６を介して受板回動用シリンダ装置２７が連結されると共に、回転軸２５の他端側の側板２３には、揺動杆２８を介してホッパー回動用シリンダ装置２９が連結されている。
【００２３】
また、回転軸２５の一対の側板２３間に位置する部分の周面には、前記受板２４の基端部が回転軸２５の径方向に突出する状態で固定されてその回動機構の簡略化が図られると共に、回転軸２５の両端部は昇降板３０に軸架されている。この昇降板３０の両端部にはガイド板３１が固定され、このガイド板３１は枠状の支持フレーム３２に上下方向に固定されたガイド棒３３に摺動状態で緩挿すると共に、昇降板３０の中央部分には連結板を介して昇降シリンダー装置３４が連結されている。なお、前記受板２４は、その先端部２４ａ（図６参照）が円弧状板体２２の内面に対して、常に所定の間隔を有して回動し得るように設定されている。
【００２４】
これにより、前記受板回動用シリンダ装置２７が作動することで、揺動杆２６を介して回転軸２５及び受板２４が図６の矢印ハ方向に回転して、受板２４の先端部２４ａが図６の実線で示す下方に所定角度（例えば３０度）傾斜した傾斜位置と、二点鎖線で示す略垂直位置との間を回動（傾動）する。また、前記ホッパー回動用シリンダ装置２９が作動することで、側板２３（すなわちホッパー５）が回転軸２５を中心に図６の矢印ニ方向に回動する。さらに、前記昇降シリンダ装置３４が作動することで、ホッパー５と受板２４が図６の矢印ホ方向に上下動する。
【００２５】
なお、円弧状板体２２の円弧に沿った一方の端部である上端側には、両側が側板２３で閉塞され図６において略上方に開口した前記ホッパー５の供給口５ａが形成され、円弧に沿った他方の端部である下端側には、図６において略右方向に開口したホッパー５の排出口５ｂが形成されている。また、排出口５ｂは、ホッパー５が図６及び図７に示す位置において、受板２４が垂直位置まで回動した際でも閉塞され得るように設定されている。
【００２６】
そして、この箱詰供給装置２は、秤量機３５上に平板状の支持フレーム３６と前記枠状の支持フレーム３２を介して配置されており、この秤量機３５で、箱詰供給装置２や支持フレーム３２、３６及びホッパー５内に供給された農産物の総重量が時々刻々計量され、その計量値が前記各種シリンダ装置２７、２９、３４等の作動を制御する図示しない制御装置に入力される。また、箱詰供給装置２のホッパー５の下部と秤量機３５の支持フレーム３６との間には、前記搬送コンベア６が配置され、この搬送コンベア６は、図示しない正逆転可能なモータでその搬送方向が図２の矢印イ方向となるように設定されている。
【００２７】
次に、上記保持装置１と箱詰供給装置２の動作の一例について説明する。先ず、２台の保持装置１の各載置台１３は、例えば図２に示す搬送コンベア６の搬送方向の一方側の載置台１３が水平状態の箱供給排出位置Ｓ１に設定され、搬送コンベア６の搬送方向の他方側の載置台１３が傾斜状態の箱詰め位置Ｓ２に交互に設定されるように、各シリンダ装置１４の作動が制御される。
【００２８】
そして、箱供給排出位置Ｓ１の載置台１３は、図３及び図４に示すように、シリンダ装置１４のピストンロッドが後退することで、水平部１３ａが水平状態となって搬送コンベア１０のローラ１０ａ間に位置し、箱供給排出位置Ｓ１の直上流側の待機位置のストッパ１０ｂの下降で供給された空の段ボール箱８は、上昇している箱供給排出位置Ｓ１のストッパ１０ｂで停止されて箱搬送コンベア１０のローラ１０ａ上に載置される。
【００２９】
また、載置台１３が水平状態において、垂直部１３ｂが略垂直となって箱搬送コンベア１０の内側のフレーム１０ｃ側に近づくことにより、保持機構１５の押さえ杆１８のバネ係止部１８ｃが、該バネ係止部１８ｃのストッパとしてのフレーム１０ｃ内面に当接し、押さえ杆１８に嵌装されたバネ１９が、載置台１３によりバネ係止部１８ｃ方向に押されて収縮されると共に、押さえ杆１８の垂直部１８ｂが水平部１３ａの先端と所定寸法に設定されている。したがって、載置台１３が水平状態においては、押さえ杆１８の押さえ板２０は段ボール箱８の側面に当接することがなく、押さえ杆１８の水平部１８ａの略有効長さ寸法Ｌ１に対応した寸法以内の段ボール箱８が、押さえ杆１８の水平部１８ａ上の箱搬送コンベア１０のローラ１０ａ上に位置し得ることになる。
【００３０】
この水平状態でシリンダ装置１４が作動してピストンロッドが伸長すると、載置台１３が回転軸１６を中心に図５の矢印ヘ方向に回動（傾動）して、予め設定した所定傾斜角度を有する箱詰め位置Ｓ２に設定される。この時、載置台１３が回動すると、段ボール箱８がその自重で一方の側面が載置部１３の垂直部１３ｂに当接すると共に、載置台１３の回動に連係して、押さえ杆１８のバネ係止部１８ｃが箱搬送コンベア１０のフレーム１０ｃから除々に離間し、この離間に追従してバネ１９の付勢力で、押さえ杆１８が図５の矢印ロ方向、すなわち押さえ杆１８の垂直部１８ｂと載置台１３の水平部１３ａの先端との間の間隔寸法が小さくなる方向に移動する。
【００３１】
この段ボール箱８の載置台１３の垂直部１３ｂへの当接と押さえ杆１８の水平部１３ａに対する移動で、押さえ杆１８の押さえ板２０が段ボール箱８の他方の側面に当接して、段ボール箱８をバネ１９の付勢力に対応した力で載置台１３の垂直部１３ｂや水平部１３ａに押し付ける。これにより、傾斜状態の載置台１３に段ボール箱８が所定の強度で確実に保持されてその移動が防止され、この段ボール箱８に、箱詰供給装置２で次のようにして例えば農産物としての馬鈴薯Ｗ（図８参照）が箱詰めされる。
【００３２】
すなわち、箱詰供給装置２は、先ず受板２４が初期位置である傾斜位置に設定されると共に、前記制御装置に、受板２４を回動させる第１所定重量値とホッパー５を回動させて排出口５ｂを開放する第２所定重量値が設定される。以下説明の便宜上、この第１所定重量値が２ｋｇで、第２所定重量値が５ｋｇであるとする。なお、これらの第１及び第２所定重量値は、ホッパー５を含む箱詰供給装置２の風袋重量を差し引いた馬鈴薯Ｗの正味重量値である。
【００３３】
この状態で、引出コンベア４で搬送されてくる馬鈴薯Ｗは、バイブレータ３で振動されつつ転動してその送出口方向に搬送され、図８（ａ）に示すように、投入シュート３７から箱詰供給装置２のホッパー５の供給口５ａに投入される。この時、ホッパー５内の受板２４は先端部２４ａが下方に３０度傾斜した傾斜位置に設定されていることから、この受板２４上に馬鈴薯Ｗが収納されると共に、この馬鈴薯Ｗの収納による支持フレーム３２、３６を含む箱詰供給装置２の全重量が秤量機３５で計量される。
【００３４】
そして、秤量機３５で計量された重量値の増加分、すなわち風袋重量を差し引いた正味重量（以下、単に計量値という）が前記第１所定重量値（２ｋｇ）になると、制御装置からの開放信号で受板回動用シリンダ装置２７が作動し、そのピストンロッドが進出し受板２４の先端部２４ａを下方に回動させる。これにより、受板２４が垂直位置に設定されて、受板２４上に収納されていた２ｋｇの馬鈴薯Ｗは、受板２４の回動動作に追従しつつ円弧状板体２２の内面（円弧状ガイド）に沿って転動しながら排出口５ｂ方向に案内される。この馬鈴薯Ｗは、ホッパー５の排出口５ｂが垂直位置の受板２４で閉塞されていることから、ホッパー５外に排出されることはない。
【００３５】
前記受板２４が回動を開始してもバイブレータ３から次の馬鈴薯Ｗが連続的に送出されてホッパー５内に投入されており、この馬鈴薯Ｗの重量が秤量機３５で計量される。そして、その計量値が第２所定重量値である５ｋｇになると、制御装置からの信号で、ホッパー５内への馬鈴薯Ｗの供給が停止されると共に、図８（ｂ）に示すように、昇降シリンダ装置３４を作動させてそのピストンロッドを下降させ、ホッパー５と受板２４を所定位置まで下降させて排出口５ｂを搬送コンベア６の直上方に位置させる。
【００３６】
この状態で、ホッパー回動用シリンダ装置２９を作動させて、ホッパー５を図８（ｃ）に示すように矢印ニ方向に回動させ、ホッパー５の排出口５ｂを垂直位置の受板２４から離間して開放する。この排出口５ｂの開放で、ホッパー５内に収納された５ｋｇの馬鈴薯Ｗが直下の搬送コンベア６のベルト上に落下供給され、この時、ホッパー５内の馬鈴薯Ｗは、略投入された順に下方に排出され、略先入れ先出し状態で搬送コンベア６上に供給されることなる。
【００３７】
この状態で、図８（ｄ）に示すように、昇降シリンダ装置３４を作動させて、ホッパー５と受板２４を初期位置まで上昇させることにより、ホッパー５が搬送コンベア６上に積まれた状態で供給された馬鈴薯Ｗの搬送に邪魔になることがなくなり、搬送コンベア６の所定方向に搬送される。なお、ホッパー５等が図８（ｄ）の状態に設定されると、ホッパー５が回動して初期位置に復帰すると共に、受板２４も回動して初期位置に復帰し、次の馬鈴薯Ｗを受け入れる体制に自動設定される。
【００３８】
そして、箱詰供給装置２により搬送コンベア６上に落下供給された馬鈴薯Ｗは、搬送コンベア６の正転方向への動作で、図２の右方向に搬送され、保持装置１によって前述したように箱詰め位置Ｓ２に傾斜状態でセットされている空の段ボール箱８にシュート板１１を介して供給されて箱詰めされる。また、この５ｋｇの馬鈴薯Ｗが箱詰めされた段ボール箱８は、保持装置１の前述した動作（傾動状態）と逆の動作をたどって水平状態の供給排出位置Ｓ１に設定され、該位置Ｓ１の搬送コンベア１０のストッパ１０ｂの下降で下流側に搬送されて製品搬送コンベア９に供給される。
【００３９】
なお、搬送コンベア６の搬送方向右側の箱詰め位置Ｓ２の段ボール箱８が、一方の保持装置１の載置台１３の水平状態に移行する動作で箱供給排出位置Ｓ１に設定されると、一方の保持装置１の動作と連動して搬送コンベア６の搬送方向左側の箱供給排出位置Ｓ１の段ボール箱８が、他方の保持装置１の載置台１３の傾動動作で箱詰め位置Ｓ２に設定される。そして、この他方の保持装置１の傾斜した載置台１３上の段ボール箱８に、前記一方の保持装置１の載置台１３に載置されていた段ボール箱８と同様に次の５ｋｇの馬鈴薯Ｗが箱詰めされる。
【００４０】
つまり、ポッパー５内に投入される馬鈴薯Ｗが受板２４の回動動作で段階的に排出口５ｂ方向に案内（落下）されると共に、ホッパー５の排出口５ｂの開放で搬送コンベア６上に供給され、この搬送コンベア６上の馬鈴薯Ｗが、該コンベア６の正逆転動作で左方向と右方向に交互に搬送される。そして、搬送コンベア６の搬送方向イと同期して、前述した保持装置１の作動で箱供給排出位置Ｓ１と箱詰め位置Ｓ２とに択一的に設定される載置台１３のうち、傾斜状態（箱詰め位置Ｓ２）の載置台１３に保持された段ボール箱８に、馬鈴薯Ｗが交互に箱詰めされることになる。
【００４１】
このように、上記実施例の保持装置１にあっては、載置台１３の筒状の水平部１３ａに摺動可能に緩挿された押さえ杆１８が、載置台１３が水平状態の時に押さえ板２０を段ボール箱８の側面から離間させて保持に関与せず、載置台１３が傾斜状態の時に押さえ板２０を段ボール箱８の側面に当接させて保持に関与する構造であるため、水平状態の時に押さえ杆１８の垂直部１８ｂと載置台１３の垂直部１３ｂとの間に例えば搬送コンベア１０の幅Ｗに対応する比較的大きな間隔Ｌ１（図３参照）を設定することができて、箱搬送コンベア１０で搬送されてくる各種大きさの段ボール箱８を箱供給排出位置Ｓ１から傾動させて箱詰め位置Ｓ２で保持することができ、汎用性に優れた保持装置１を得ることが可能になる。
【００４２】
また、保持機構１５が押さえ杆１８を所定方向に付勢する圧縮コイルバネ等のバネ１９を有するため、バネ１９の伸縮作用を利用して、伸長時に押さえ杆１８の押さえ板２０を段ボール箱８の側面に当接させて段ボール箱８を確実に保持すると共に、圧縮時に押さえ杆１８のバネ係止部１８ｃを搬送コンベア１０のフレーム１０ｃに当接させて押さえ板２０を段ボール箱８の側面から離間させて前記間隔Ｌ１寸法を設定することができ、押さえ板２０による段ボール箱８の保持と解除を確実かつ容易に行うことができる。さらに、保持機構１５が押さえ杆１８とバネ１９で形成されると共に、押さえ杆１８のバネ係止部１８ｃのストッパとして箱搬送コンベア１０のフレーム１０ｃを使用しているため、保持機構１５の構成を簡略化することができて、安価な保持装置１を得ることが可能になる。
【００４３】
また、載置台１３が水平状態に設定された際に、押さえ杆１８の垂直部１８ｂと載置台１３の垂直部１３ｂとの間に前記間隔Ｌ１寸法が設定されるため、箱供給排出位置Ｓ１への段ボール箱８の供給時に、段ボール箱８が押さえ杆１８等に接触することがなくなってスムーズな供給ができると共に、供給時の段ボール箱８の傷付き発生を確実に防止することができる。
【００４４】
さらに、載置台１３が水平状態の時に、水平部１３ａが搬送コンベア１０のローラ１０ａ間でローラ１０ａ上面より所定寸法低い位置に自動的に設定されるため、箱供給排出位置Ｓ１のローラ１０ａ上の空の段ボール箱８の水平部１３ａ上への移載や、水平部１３ａ上の馬鈴薯Ｗ入りの段ボール箱８のローラ１０ａ上への移載を容易にかつ確実に行うことができ、段ボール箱８の供給・保持・排出の一連の動作がスムーズに行えて、例えば馬鈴薯Ｗの箱詰め作業が効率的に行えて、その処理能力を向上させることが可能になる。
【００４５】
また、保持装置１を箱詰供給装置２に並設して使用することにより、次のような付随的な作用効果が得られる。すなわち、搬送コンベア６の搬送方向イ両端部の保持装置１にセットされる段ボール箱８が、箱詰め位置Ｓ２と箱供給排出位置Ｓ１とに交互になるように制御されるため、段ボール箱８の入れ換えによる供給作業時間のロスを減少させることができると共に、段ボール箱８の箱詰め位置Ｓ２への供給や、箱供給排出位置Ｓ１への空の段ボール箱８の供給や箱詰めされた段ボール箱９の排出を効率的に行うことができて、箱詰め作業の処理能力の一層の向上が図れる。
【００４６】
また、箱詰供給装置２のホッパー５内に先端部２４ａが円弧状板体２２の内面に沿って回動する受板２４を設けているため、受板２４でホッパー５内に投入される所定重量の馬鈴薯Ｗを一旦受け止め、これを受板２４の回動動作で下方に段階的にスムーズに案内して、ホッパー５の回動動作で開放された排出口５ｂから下方に落下供給でき、投入シュート３７からホッパー５の底板としての受板２４上への馬鈴薯Ｗの落下距離（自然落下距離）の短縮化が図れる。
【００４７】
また、ホッパー５自体が上下動し得るように構成されているため、投入シュート３７からホッパー５の受板２４上への馬鈴薯Ｗの落下距離やホッパー５から搬送コンベア６上への落下距離を最短に設定することができると共に、ホッパー５の排出口５ｂの開放時に馬鈴薯Ｗに加わる衝撃や円弧状板体２２内を移動する際の馬鈴薯Ｗに加わる衝撃を緩和でき、これらのことから、箱詰め供給作業時における馬鈴薯Ｗの傷み発生が確実に防止される。またさらに、秤量機３５が１台の設置でよく、秤量機３５自体のメンテナンスの容易化や箱詰供給装置２の構成の簡略化等も図れる。
【００４８】
なお、上記実施例においては、容器としての空の段ボール箱８を傾動動作させて農産物を箱詰めする場合について説明したが、本発明はこれに限定されるものでもなく、例えば容器としてのコンテナを反転動作させることにより、コンテンナ内に収納された農産物や土砂、液体、廃棄物等の収容物を搬送コンベア等に排出（放出）する際にも適用することができる。
【００４９】
また、上記実施例においては、搬送コンベア６の搬送方向イの両側に保持装置１をそれぞれ設ける場合について説明したが、例えば搬送コンベア６の一方側に保持装置１を配置する構造であっても良いし、上記実施例の２台の保持装置１を一体化して保持装置１としても良い。さらに、上記実施例における、載置台１３の形状や保持機構１５の押さえ杆１８等の形状及びその移動機構等も一例であって、例えばバネ係止部１８ｃのストッパとして専用のストッパを使用する等、本発明に係わる各発明の要旨を逸脱しない範囲において適宜に変更することができる。
【００５０】
【発明の効果】
以上詳述したように、請求項１記載の発明によれば、載置台が略水平状態の際に保持手段による容器の保持が解除されてフリーな状態となり、傾動機構の動作で載置台が所定角度傾斜した傾斜状態の際に保持手段で容器が保持されるため、水平状態の載置台上に各種大きさの容器を容易に載置できて汎用性を向上させることができると共に、載置台上への容器の出し入れ時に容器に当接する部材等がなく、出し入れ時の容器の傷付き防止とスムーズな出し入れを行うことができる。
【００５１】
また、保持手段が傾動機構の傾動動作に連係した弾性部材の伸縮作用によって容器を保持し得るため、保持手段の構成が簡略化されて保持装置自体を安価に形成することができる。さらに、載置台が略水平状態の際に弾性部材が収縮して容器の保持を解除し、載置台が傾斜状態の際に弾性部材が伸長して容器を保持するため、弾性部材の伸縮作用の有効利用で容器の解除と保持を確実かつ容易に行うことができる。
【００５３】
また、請求項２記載の発明によれば、請求項１記載の発明の効果に加え、容器搬送コンベアで搬送されてくる容器を載置台上にスムーズに移行することができて、容器内への収容物の箱詰め作業や容器内の収容物の排出作業等の処理能力を向上させることができる。
【００５４】
また、請求項３記載の発明によれば、請求項１ないし２記載の発明の効果に加え、各種大きさの段ボール箱に所定の農産物を秤量しつつ例えば効率良く箱詰めできて、農産物の箱詰め作業の処理能力の向上が図れる等の効果を奏する。
【図面の簡単な説明】
【図１】本発明に係わる容器の保持装置を使用した箱詰施設の平面図
【図２】同図１のＡ−Ａ線に沿った矢視図
【図３】同その保持装置の正面図
【図４】同その側面図
【図５】同その動作状態の正面図
【図６】同箱詰供給装置の側面図
【図７】同他の側面図
【図８】同その動作説明図
【符号の説明】
１・・・・・・・・・・保持装置
２・・・・・・・・・・箱詰供給装置
３・・・・・・・・・・バイブレータ
５・・・・・・・・・・ホッパー
８・・・・・・・・・・段ボール箱
１０・・・・・・・・・箱搬送コンベア
１３・・・・・・・・・載置台
１３ａ・・・・・・・・水平部
１３ｂ・・・・・・・・垂直部
１４・・・・・・・・・シリンダ装置
１５・・・・・・・・・保持機構
１６・・・・・・・・・回転軸
１８・・・・・・・・・押さえ杆
１８ａ・・・・・・・・水平部
１８ｂ・・・・・・・・垂直部
１８ｃ・・・・・・・・バネ係止部
１９・・・・・・・・・バネ
２０・・・・・・・・・押さえ板
２２・・・・・・・・・円弧状板体
２４・・・・・・・・・受板
２７・・・・・・・・・受板回動用シリンダ装置
２９・・・・・・・・・ホッパー回動用シリンダ装置
３４・・・・・・・・・昇降シリンダ装置
Ｓ１・・・・・・・・・箱供給排出位置
Ｓ２・・・・・・・・・箱詰め位置
Ｗ・・・・・・・・・・馬鈴薯
【図１】
0004363791.tif 000002
【図２】
0004363791.tif 000003
【図３】
0004363791.tif 000004
【図４】
0004363791.tif 000005
【図５】
0004363791.tif 000006
【図６】
0004363791.tif 000007
【図７】
0004363791.tif 000008
【図８】
0004363791.tif 000009